(57)【要約】【目的】この発明は、美容や健康やリハビリなどを目的としたエステサロンやフィトネスクラブや各種ジムや強いては家庭などで行うボディーケアマッサージで身体を酸化させす還元させることを目的とした、身体と心に優しいボディーケアマッサージ技法に関するものである。【構成】還元水とフィトンチッド混入液をベースとした混合液を身体に噴霧してレナード現象と還元作用と気化放熱作用の相乗作用を活用して、還元水とフィトンチッド混入液と植物性オイルを混合したローションにより身体のマッサージを行う基本技法であり、微細霧を噴霧することによる気化放熱作用で対応環境温度を下げて、噴霧による気化放熱前への普及環境温度差により身体の還元を促進する還元ボディーケアマッサージ技法。【特許請求の範囲】
【請求項１】
還元水とフィトンチッド混入液をベースとした混合液を身体に噴霧してレナード現象と還元作用と気化放熱作用の相乗作用を活用して、還元水とフィトンチッド混入液と植物性オイルを混合したローションにより身体のマッサージを行う基本技法であり、微細霧を噴霧することによる気化放熱作用で対応環境温度を下げて、噴霧による気化放熱前への普及環境温度差により身体の還元を促進する還元ボディーケアマッサージ技法。
【請求項２】
次の具体手順による還元ボディーケアマッサージ技法。
（イ）還元水とフィトンチッドをベースとした植物エキスの混合液を粒径５ミクロン以下の霧状にして身体のマッサージ適応箇所へ噴霧します。
（ロ）身体のマッサージ適応箇所を噴霧しながら、還元水とフィトンチッドをベースとした植物エキスの混合液と植物性オイルを混合したローションにより身体をマッサージします。
（ハ）噴霧を止めて、身体の環境温度を気化放熱前の環境温度に戻します。
（ニ）この普及温度差による自然的な体内発熱作用により身体の還元を促進します。
【発明の詳細な説明】
【０００１】
【発明の属する技術分野】
この発明は、美容や健康やリハビリなどを目的としたエステサロンやフィトネスクラブや各種ジムや強いては家庭などで行うボディーケアマッサージで身体を酸化させす還元させることを目的とした、身体と心に優しいボディーケアマッサージ技法に関するものである。
【０００２】
【従来の技術】
従来のボディーケアマッサージ技法は遠赤外線などの加熱機器などを使ったり、名種触媒を使って体温を上昇させて血行を促進させた肌にオイルなどを浸透させてマッサージする方法が一般的であった。
【０００３】
【発明が解決しようとする課題】
従来のボディーケアマッサージ技法は全身に熱を当てて体温を上昇させて身体の興奮作用により一時的に爽快感を与える技法であったため次の課題があった。
（イ）ボディーケアマッサージに使用する皮膚への浸透剤は、合成界面活性剤などで体内に吸収されると有害と言われている物質も含まれていた。
（ロ）体温加熱装置等を使用することにより空気中にプラスイオンが増加するし、電磁場も発生し生体へ悪影響を及ぼしていた。
（ハ）オイルなどをお肌へマッサージする皮膚刺激によりプラスイオンが体内に入り粘膜を刺激し副交感神経を過剰に反応させて老化や動脈硬化を促進させる要因でもあった。
【０００４】
課題を総合しますと、従来のボディーケアマッサージ技法は一時的な快適体感を得ることができるがプラスイオンや化学物質合成剤や電磁波などで身体を酸化させており生体へ悪影響を与える恐れがあった。
【０００５】
【問題を解決するための手段】
その課題を解決するための技法は従来の身体の加熱をベースとした技法とは全く相反するもので、還元水とフィトンチッド混入液をベースとした混合液を粒径５ミクロン以下の微細霧にして身体に噴霧しレナード現象によりマイナスイオンを発生させて精神的な癒し環境を創ると共に細胞の活性化をはかり自然治癒力を高めながら、還元水とフィトンチッドの混入液と植物性オイルを混合したローションをお肌に塗布しマーサージを行い脂肪を分解するし噴霧作用による気化放熱作用により対応する環境温度を１度〜３度下げて副交感神経の鎮痛作用や血圧や血糖の下降作用を促進させる技法である。
【０００６】
具体的手順を列記すれば、
（イ）還元水とフィトンチッドをベースとした植物エキスの混合液を粒径５ミクロン以下の霧状にして身体のマッサージ適応箇所へ噴霧します。
（ロ）身体のマッサージ適応箇所を噴霧しながら、還元水とフィトンチッドをベースとした植物エキスの混合液と植物性オイルを混合したローションにより身体をマッサージします。
（ハ）噴霧を止めて、身体の環境温度を気化放熱前の環境温度に戻します。
（ニ）この普及温度差による自然的な体内発熱作用により身体の還元を促進します。
【０００７】
【作用】
本発明の還元ボディーケアマッサージ技法の作用を述べると、
（イ）還元水とフィトンチッドをベースとした混合液を粒径５ミクロン以下の霧状にして噴霧しレナード現象により多量のマイナスイオンを発生させます。
（ロ）マイナスイオンは精神的癒し環境を創ると共に皮膚内に浸透して細胞を活性化し自然治癒力を高め疲労感を減少させます。
（ハ）還元水やフィトンチッド混入液や植物性オイルを混合したローションをお肌に塗布してマッサージを行うことで、特に皮膚の主成分であるオレイン酸が浸透して自然な発熱作用を促し、フィトンチッドの中に含まれるベクチナーゼ、リパーゼ、セルラーゼなどの分解酵素が作用して余分な脂肪などを分解すると共に浮腫み、腫れ、炎症などを和らげる作用であり、且つリンパへの刺激作用により老廃物を自然に体外へ尿や汗として排出し、副交感神経の働きを高めていく自然的な作用である。
（ニ）噴霧による気化放熱作用により対応環境温度を１度〜３度低下させた後に自然上昇をさせる方法であるため、温度差により血行を促進し還元させる作用である。
【０００８】
【発明の実施の形態】
具体実施例を述べる。
（イ）フィトンチッドをベースとした植物エキスは葉緑素・パントテン酸・アミノ酸・各種ビタミン・精油等を含む。
（ロ）マイナスイオンの還元水はトルマリン石などをベース素材とした溶融水である。
（ハ）フィトンチッドをベースとした植物エキスとトルマリン石などをベースとした還元水の混合液における植物エキスの割合は０．１％〜５％程度の範囲として用途に応じた濃度とする。
（ニ）皮膚へ塗布するローションは還元水やフィトンチッド混合液や植物性オイルの混合液とする。
（ホ）粒径５ミクロン以下の超微霧の噴霧機器は超音波霧化器とする。
（ヘ）還元水とフィトンチッド液をベースとした混合液と超音波霧化機器を組み合わせた構成を特徴とします。
【０００９】
【発明の効果】
本発明の還元ボディーケアマッサージ技法は還元水とフィトンチッドをベースとした混合液を粒径５ミクロン以下の霧状にして噴霧しレナード現象により多量のマイナスイオンを発生させますので空気中のプラスイオンを減少させ細胞を活性化し自然治癒力を高め疲労を回復させるなどの効果が期待されます。
【００１０】
噴霧でのレナード現象によるマイナスイオンの放出を行いながら還元水やフィトンチッド混合液や植物性オイルの混合液を使って皮膚のマッサージを行うことにより、噴霧による気化放熱作用により対応環境温度を１度〜３度下降させ、噴霧後に自然に体温を上昇する時に発するエネルギーにより混合液の中に含まれるリパーゼ、ベクチーナーゼ、セルラーゼなどの成分の作用を促進させ脂肪分解などを行い効率的な脂肪燃焼効果が期待できます。
【００１１】
また本発明の還元ボディーケアマッサージ技法は高齢者への活用も可能で、特有の臭いで問題となっている老人臭もフィトンチッド混入液で消臭し、血行促進、冷え症防止、頭痛、肩凝り、不眠、喘息、ストレス、動脈硬化などの防止効果も期待できます。
【００１２】
本発明の還元ボディーケアーマッサージ技法は、従来の加熱をベースとしたボディーケアマッサージ技法とは全く相反する技法であり、従来標準化されていたエステ業界等の理論を全く覆す逆脱的技法でもあります。
【００１３】
また本発明の還元ボディーケアマッサージ技法は、ボディーのマッサージによる効果ばかりではなく、エステ室内等にはフィトンチッドによる森林浴効果と噴霧作用でのレナード現象によるマイナスイオンが多量に充満し健康の促進と癒し効果を成すものであり理想的な２１世紀型マッサージ室を誕生させ、今世紀のエステ業界の転換技術を成しえるものであり、強いては地球環境と人類の救世主的役割を果たすものでもあります。